(57)【要約】【課題】  除塵対象物から埃を簡単に確実に除去する。【解決手段】電源および該電源から電圧を印加される電極を有する。電極を除塵対象物に接触させまたは近づけることにより、除塵対象物に付着した埃を除去する。除塵対象物は導体、絶縁体または導体と絶縁体の両方であってもよい。また、電極に印加される電圧はが正負のパルス電圧、正負の交流電圧また挨の帯電極性と同極性または逆極性の直流電圧である。除塵対象物が少なくともパチンコの玉、自動車の車体、プリント基板、金属の筐体、めがねのフレーム、プラスチックレンズ、プラスチック、繊維、木材、紙の筐体である。【選択図】  図１
2007296488.tif 000002
【特許請求の範囲】
【請求項１】
電源および該電源から電圧を印加される電極を有し、前記電極を除塵対象物に接触させまたは近づけることにより、除塵対象物に付着した埃を除去することを特徴とする除塵装置。
【請求項２】
除塵対象物が導体、絶縁体または導体と絶縁体の両方であることを特徴とする請求項１項記載の除塵装置。
【請求項３】
前記電極に印加される電圧が正負のパルス電圧、正負の交流電圧、また埃を飛ばすときは挨の帯電極性と同極性の直流電圧であり、また埃を引き剥がすときは埃の帯電極性と逆極性の直流電圧であることを特徴とする１または２項記載の除塵装置。
【請求項４】
除塵対象物が少なくともパチンコの玉、自動車の車体、プリント基板、金属の筐体または金属の部品、めがねのフレーム、プラスチックレンズ、プラスチックの筐体または部品、繊維、木材、紙の筐体または部品であることを特徴とする請求項１〜３のいずれか１つに記載の除塵装置。
【請求項５】
除塵対象物から離れた埃を搬送するための、または除塵対象物から埃を離すことを補助して離れた埃を搬送するためのエアーブローまたは真空吸引をさらに有することを特徴とする請求項１〜４のいずれか１つに記載の除塵装置。
【請求項６】
除塵対象物に電圧を印加するときに除塵対象物を周囲から電気的に絶縁することを特徴とする請求項１〜５のいずれか１つに記載の除塵装置。
【請求項７】
パチンコの玉またはゲーム機のコインを導入する導入口と、
該導入口から導入されたパチンコの玉またはゲーム機のコインに接触または近接するように配置され、電気的に他の部品と絶縁され、かつ除塵のために電圧を供給される電極と、
前記電極によって除塵されたパチンコの玉またはゲーム機のコインを排出する排出口と、
前記導入口中のパチンコの玉またはゲーム機のコインから分離して前記電極に向けて搬送する第１アイソレーターと、
前記電極上のパチンコの玉またはゲーム機のコインから分離して前記排出口に搬送する第２アイソレーターと、
を有することを特徴とするパチンコの玉またはゲーム機のコインの除塵装置。
【請求項８】
前記電極の前、または後、または前後に接地電極をさらに有し、該接地電極でパチンコの玉またはゲーム機のコインを除電することを特徴とする請求項７記載のパチンコの玉またはゲーム機のコインの除塵装置。
【請求項９】
前記電極が電極メッシュであり、電極メッシュにより除塵された埃を払うために、または電極メッシュの除塵を補助して埃を払うために、吸気用ファン、排気用ファンおよび埃を払うためのエアーブローの少なくとも１つを有することを特徴とする請求項７または８記載のパチンコの玉またはゲーム機のコインの除塵装置。
【請求項１０】
除塵した挨が外部に飛散するのを防止し、かつ外部から挨が侵入して玉またはコインに付着するのを防止するために、前記吸気用ファンの吸気量をＶｉｎとし、前記排気用ファンの排気量をＶｏｕｔとし、エアーブロワーのエアーブロー量をＶａｉｒとし、前記導入口および前記排出口から漏れる空気量をＶｌｅａｋとすると、式Ｖｌｅａｋ＝Ｖｉｎ＋Ｖａｉｒ−Ｖｏｕｔ、Ｖｌｅａｋ≧０が成り立つように内部の気圧分布を制御することを特徴とする請求項９記載のパチンコの玉またはゲーム機のコインの除塵装置。
【請求項１１】
除塵対象物に接触または近接して配置され、かつ電源から給電される埃反発電極と、
前記除電対象物の周囲に向けてイオンを発射するイオナイザと、
を有することを特徴とする除塵装置。
【請求項１２】
除塵対象物に接触または近接して配置され、かつ電源から給電される埃反発電極と、
前記除塵対象物の前記埃反発電極とは反対側で離して配置される埃吸引対向電極と、
を有することを特徴とする除塵装置。
【請求項１３】
前記埃吸引対向電極は接地され、または前記埃反発電極とは逆極性の電圧が印加されることを特徴とする請求項１２記載の除塵装置。
【請求項１４】
前記埃吸引対向電極の前記除塵対象物とは反対側にさらに埃吸引ファンを有することを特徴とする請求項１３記載の除塵装置。
【請求項１５】
前記埃反発電極および（または）埃吸引対向電極が、少なくとも１一本の針状、少なくとも１個の点状、少なくとも１本の線状、網状、板状、または円状の電極であることを特徴とする請求項１１〜１４記載の除塵装置。
【請求項１６】
埃を除塵対象物から引き離す電極手段と、
引き離された埃を吸引する埃吸引真空装置と、を有し、
前記電極手段は、
埃を吸引する埃吸引電極からなり、または
埃を吸引する埃吸引電極と埃を除塵対象物から飛ばして浮遊させる埃反発電極とからなり、または
埃を除塵対象物から飛ばして浮遊させる埃反発電極なる、
ことを特徴とする除塵装置。
【請求項１７】
前記埃吸引真空装置と前記埃吸引電極が同じ側にあることを特徴とする請求項１６記載の除塵装置。
【請求項１８】
前記埃吸引真空装置と前記埃反発電極が除塵対象物を挟んで反対側にあることを特徴とする１６項記載の除塵装置。
【請求項１９】
前記埃吸引真空装置と前記埃吸引対向電極が同じ側にあり、埃反発電極が前記除塵対象物を挟んで反対側にあることを特徴とする請求項１６記載の除塵装置。
【請求項２０】
前記埃吸引対向電極の電圧は、前記埃反発電極の電圧と逆極性であり、または接地されていることを特徴とする請求項１９項記載の除塵装置。
【請求項２１】
埃を除塵対象物から引き離す電極手段と、
埃を飛ばすエアーブロワ−と、を有し、
前記電極手段は、
埃を吸引する埃吸引電極からなり、または
埃を吸引する埃吸引電極と埃を除塵対象物から飛ばして浮遊させる埃反発電極とからなり、
または埃を除塵対象物から飛ばして浮遊させる埃反発電極なる、
ことを特徴とする除塵装置。
【請求項２２】
前記エアブロワーと前記埃吸引電極が同じ側にあることを特徴とする請求項２１記載の除塵装置。
【請求項２３】
前記エアブロワーと前記埃反発電極が前記除塵対象物を挟んで反対側にあることを特徴とする請求項２１項記載の除塵装置。
【請求項２４】
前記エアブロワーと前記埃吸引電極が同じ側にあり、前記埃反発電極が前記除塵対象物を挟んで反対側にあることを特徴とする請求項２１項記載の除塵装置。
【請求項２５】
前記埃吸引電極の電圧は、前記埃反発電極の電圧と逆極性であり、または接地されていることを特徴とする請求項２４項記載の除塵装置。
【請求項２６】
上流に配置された埃吹飛ばしフアンおよび（または）埃吹飛ばしエアブロワーと、
その下流に配置された埃反発電極と、
その下流に除塵対象物を挟んで配置された埃吸引電極と、
その下流に配置された埃吸引フアンと、
を有することを特徴とする除塵装置。
【請求項２７】
前記埃吸引電極の電圧は前記埃反発電極の電圧と逆極性であり、または接地されていることを特徴とする請求項２６項記載の除塵装置。
【発明の詳細な説明】
【技術分野】
【０００１】
本発明は、除塵装置に関し、特に、電圧の印加によりクーロンの斥力および引力で塵や埃を除去する除塵装置に関する。
【背景技術】
【０００２】
従来の除塵装置は、
（１）ブラシで機械的に挨を払う方式のもの
（２）粘着テープまたは粘着ローラーで挨を引き剥がす方式のもの
（３）エアーブローやファンブローを用い挨を吹き飛ばす方式のもの、
（４）真空吸引によりホコリを吸引する方式のもの、
（５）挨が剥がれ易くするため、超音波振動を印加する方式のもの、
（６）挨が剥がれ易くするため、除電器を用い静電気を除去する方式のもの、
等があった。
【発明の開示】
【発明が解決しようとする課題】
【０００３】
従来は接触式除塵方式ではブラシで埃払いをしたり、粘着テープで挨を剥ぎ取っていたが、これらの場合、必ず静電気が起こるので、挨を除去し難くかったり、また直ぐに再付着したりした。また、従来、非接触式除塵方式では必ずエアーブローをして挨を払ったため、ブローで挨が舞い上がり、挨の再付着を助長していた。特にクリーンルームとかクリーンベンチ等のクリーン環境下ではエアーブローやファンによるブローは使えないため非接触式の除塵は難しいとされていた。
【課題を解決するための手段】
【０００４】
本発明の除塵装置は電源および該電源から電圧を印加される電極を有し、前記電極を除塵対象物に接触させまたは近づけることにより、除塵対象物に付着した埃を除去することを特徴とする。
【０００５】
本発明のパチンコの玉の除塵装置は、パチンコの玉またはゲーム機のコインを導入する導入口と、該導入口から導入されたパチンコの玉またはゲーム機のコインに接触するまたは近接するように配置され、電気的に他の部品と絶縁され、かつ除塵のために電圧を供給される電極と、前記電極によって除塵されたパチンコの玉またはゲーム機のコインを排出する排出口と、前記導入口中のパチンコの玉またはゲーム機のコインから分離して前記電極に向けて搬送する第１アイソレーターと、前記電極上のパチンコの玉またはゲーム機のコインから分離して前記排出口に搬送する第２アイソレーターと、を有することを特徴とする。
【０００６】
また、本発明の除塵装置は、除塵対象物に接触または近接して配置され、かつ電源から給電される埃反発電極と、前記除電対象物の周囲に向けてイオンを発射するイオナイザと、を有することを特徴とする。
【０００７】
また、本発明の除塵装置は、除塵対象物に接触または近接して配置され、かつ電源から給電される埃反発電極と、前記除塵対象物の前記埃反発電極とは反対側で離して配置される埃吸引対向電極と、を有することを特徴とする。
【０００８】
また、本発明の除塵装置は、埃を吸引する埃吸引真空装置と、埃を吸引する埃吸引電極と、および（または）埃を除塵対象物から飛ばして浮遊させる埃反発電極と、を有することを特徴とする。
【０００９】
また、本発明の除塵装置は、埃を飛ばすエアーブロワ−と、埃を吸引する埃吸引電極と、および（または）埃を除塵対象物からとばして浮遊させる埃反発電極と、を有することを特徴とする。
【００１０】
また、本発明の除塵装置は、上流に配置された埃吹飛ばしフアンおよび（または）埃吹飛ばしエアブロワーと、その下流に配置された埃反発電極と、その下流に除塵対象物を挟んで配置された埃吸引電極と、その下流に配置された埃吸引フアンと、を有することを特徴とする。
【発明の効果】
【００１１】
本発明によれば、従来の接触式除塵方式または非接触式除塵方式では取りきれなかった挨を除去できる。また、クリーンルームとかクリーンベンチ等のクリーン環境下でも無風で除塵でき、製品の挨不良を助長することなく除塵できる。防塵対象物が導体および絶縁体のいずれの場合でも適用できる。
【００１２】
また、パチンコの玉またはゲーム機のコインの除塵では、パチンコの玉またはゲーム機のコインの除塵と共に、パチンコの玉またはゲーム機のコインから除電でき、さらに、除塵した挨が外部に飛散するのを防止し、かつ外部から挨が侵入して玉またはコインに付着するのを防止することもできる。
【００１３】
また、除塵対象物から飛ばして浮遊させた埃が再び除塵対象物に舞い戻り付着するのを防止できる。
【発明を実施するための最良の形態】
【００１４】
本発明の除塵装置では、電源および該電源から電圧を印加される電極を有し、前記電極を除塵対象物に接触させまたは近づけることにより、除塵対象物に付着した埃を除去する。
【００１５】
また、本発明のパチンコの玉またはゲーム機のコインの除塵装置では、パチンコの玉またはゲーム機のコインを導入する導入口と、該導入口から導入されたパチンコの玉またはゲーム機のコインに接触または近接するように配置され、電気的に他の部品と絶縁され、かつ除塵のために電圧を供給される電極と、前記電極によって除塵されたパチンコの玉またはゲーム機のコインを排出する排出口と、前記導入口中のパチンコの玉またはゲーム機のコインから分離して前記電極に向けて搬送する第１アイソレーターと、前記電極上のパチンコの玉またはゲーム機のコインから分離して前記排出口に搬送する第２アイソレーターと、を有する。
【００１６】
また、本発明は、下記の構成である。
（１）本発明の除塵装置は、除塵対象物に接触または近接して配置され、かつ電源から給電される埃反発電極と、前記除電対象物の周囲に向けてイオンを発射するイオナイザと、を有する。
（２）本発明の除塵装置は、除塵対象物に接触または近接して配置され、かつ電源から給電される埃反発電極と、前記除塵対象物の前記埃反発電極とは反対側で離して配置される埃吸引対向電極と、を有する。
（３）本発明の除塵装置は、埃を除塵対象物から引き離す電極手段と、引き離された埃を吸引する埃吸引真空装置と、を有し、前記電極手段は、埃を吸引する埃吸引電極からなり、または埃を吸引する埃吸引電極と埃を除塵対象物から飛ばして浮遊させる埃反発電極とからなり、または埃を除塵対象物から飛ばして浮遊させる埃反発電極なる。
【００１７】
（４）本発明の除塵装置は、埃を除塵対象物から引き離す電極手段と、埃を飛ばすエアーブロワ−と、を有し、前記電極手段は、埃を吸引する埃吸引電極からなり、または埃を吸引する埃吸引電極と埃を除塵対象物から飛ばして浮遊させる埃反発電極とからなり、または埃を除塵対象物から飛ばして浮遊させる埃反発電極なる。
（５）本発明の除塵装置は、上流に配置された埃吹飛ばしフアンおよび（または）埃吹飛ばしエアブロワーと、その下流に配置された埃反発電極と、その下流に除塵対象物を挟んで配置された埃吸引電極と、その下流に配置された埃吸引フアンと、を有する。
（実施例１）
図１は除塵対象物が導体の場合の除塵の仕組みを説明するための図であり、図１ａは除塵対象物に埃が付着した状態を示し、図１ｂは非接触方式の除塵の仕組みを説明するための図であり、図１ｃは接触方式の除塵の仕組みを説明するための図である。なお、説明の便宜上、図１では、＋電荷、−電荷および電気力線を表示するために、除塵対象物と埃を分離して表示しているが、実際には、埃は除塵対象物に付着しているものである。また、図２、図３においても除塵対象物と埃は同様に表示されている。
【００１８】
図１ａにおいて、＋電荷１４に帯電した挨１２は導体の除塵対象物（多数の例を詳細に後述する）１０に接近または付着したとき、除塵対象物中に同量の＋電荷１４と−電荷１６を誘起し、誘起された−電荷１６が防塵対象物中の埃１２に接近した位置に移動する一方、＋電荷１４は反対側に押しやられる。接近した、埃に帯電した＋電荷１４と除塵対象物中の−電荷１６の間には引力が発生するため引き合い、埃１２は除塵対象物１０に付着した状態になっている。
【００１９】
ここで、電気力線を用いて考えると、埃１２の＋電荷１４から出た電気力線は除塵対象物１０の−電荷１６で終わっており、電気力線は閉じた状態である。仮に、コロナ放電により＋イオンと−イオンを発生し除電対象物にイオンを当てることにより除電対象物を除電する除電器（静電気除去装置）を用いて除塵対象物を除塵しようとすると、すなわち、＋イオン２０または−イオン２２を除塵対象物に供給しても、電気力線が閉じているので、＋電荷１４、または−電荷１６に影響を与えることはなく、除塵対象物から除塵できない。
【００２０】
図１ｂにおいて、除塵対象物１０に電源３２により＋に帯電した電極３０を接近させると（非接触）、電極の電圧が十分大きければ、埃１２の＋電荷１４による引力に勝って、除塵対象物中の−電荷１６を電極３０側に引き付ける。この結果、除塵対象物中の埃側には＋電荷が移動し、この＋電荷と埃１２の＋電荷１４が反発し、埃１２は矢印Ａに示すように斥力により飛ばされ、除塵対象物１０から除去される。
【００２１】
電気力線で考えると、除塵対象物１０の＋電荷１４、埃１２の＋電荷１４からの電気力線は、閉じることなく終わる。このように電気力線が閉じない場合、斥力が働く。
【００２２】
図１ｃにおいて、除塵対象物１０に電源３２により＋に帯電した電極３０を接触させる。このとき、電極３０に挨１２の引力に勝る程の＋電圧を印加すれば、除塵対象物１０が＋に帯電される。図１ｂに関連して説明したと同様な理由により、挨１２の＋電荷１４と除塵対象物１０の＋電荷１４の間に斥力が発生し、矢印Ａに示すように埃１２を除塵対象物１０から飛ばすことになる。
（実施例２）
図２は除塵対象物が絶縁体の場合の除塵の仕組みを説明するための図であり、図２ａは除塵対象物に埃が付着した状態を示し、図２ｂは埃の付着側から除塵を行なう仕組みを説明するための図であり、図２ｃは埃の付着側とは反対側から除塵を行なう仕組みを説明するための図である。
【００２３】
図２ａにおいて、＋電荷１４に帯電した挨１２は−電荷１６を持つ絶縁体の除塵対象物（多数の例を詳細に後述する）４０に接近させると、埃に帯電した＋電荷１４と除塵対象物の−電荷１６の間には引力が発生するため引き合い、埃１２は除塵対象物４０に付着した状態になっている。
【００２４】
図２ｂにおいて、挨１２の側に一電圧を印加した電極３０を近付けると（非接触）、電極３０の電圧が十分に大きければ、除塵対象物４０の−電荷１６による引力に勝って、挨１２の＋電荷１４を吸引するので、挨１２は引力によって引き剥がされることになる。
【００２５】
図２ｃにおいて、埃１２の反対側から除塵対象物４０に電極３０を接近させると、電極３０に除塵対象物４０と埃１２との間の引力に勝る程の＋電圧を印加すれば、挨１２の＋電荷１４と反発して、挨１２を飛ばすことになる。
（実施例３）
図３は除塵を行なうための印加する電圧の種類を説明するための図であり、図３ａは除塵対象物に埃が付着した状態を示し、図３ｂは印加する電圧がパルスであることを示し、図３ｃは印加する電圧が交流であることを示し、図３ｄは印加する電圧がＤＣ（＋）であることを示し、図３ｅは印加する電圧がＤＣ（−）であることを示す。図３において、埃１２に帯電する電荷の極性は一般的に＋、一両方または片方である。これらの埃１２を除塵するには、＋と一の両方または片方の極性の電圧が必要である。このため、図３ｂ〜図３ｅに示すようなパルス、交流、ＤＣ（＋）またはＤＣ（−）が用いられる。
【００２６】
なお、図示では、除塵対象物の導体１０に対して、電極３０を接触することにより電圧を印加する例で説明しているが、除塵対象物が導体または絶縁体の場合にも、実施例１、２に示すように、電極を接触することなく、同様な印加電圧を適用できる。
（実施例４）
実施例４以降では、除塵対象物の具体的な例を説明する。図４は除塵対象物が自動車の車体である場合を説明するための図である。車体を除塵するための従来例としては、下記のようなものがあった。
（１）エアーブローやファンブローを用い挨を吹き飛ばす方式のもの、
（２）真空吸引によりホコリを吸引する方式のもの、
（３）挨が剥がれ易くするため、超音波振動を印加する方式のもの、
（４）挨が剥がれ易くするため、除電器を用い静電気を除去する方式のもの、
等がある。
【００２７】
しかしながら、いずれも付着した挨を完壁に除去できるものは無く、一旦付着した挨は除去しにくいのが現状である。
【００２８】
図４において、車体５０は絶縁体５２を介して台車５４に載置されており、車体５０はレール５６上を搬送されて除塵位置にもたらされる。車体５０に電極（図示せず）を接触または近接して例えばパルス状電圧を印加して、矢印Ａに示すように埃１２を飛ばす。
（実施例５）
図５は除塵対象物がパチンコの玉である場合を説明するための図である。図５において、パチンコの玉６０に電圧を印加するか電極３０を近付けることにより、矢印Ａに示すように埃１２を飛ばすことにより除塵する。
（実施例６）
図６は除塵対象物がプリント基板の場合を説明するための図である。図６において、基板７０の配線パターンに付着した挨１２を、パターンに電圧を印加するか電圧を印加した電極３０を近付けることにより、矢印Ａに示すように埃１２を飛ばし、除塵する。
（実施例７）
図７は除塵対象物が金属筐体（例えば、配電盤の筐体、ガスコンロの筐体、パソコンの筐体、携帯電話の筐体、金管楽器）の場合を説明するための図である。図７において、金属筐体８０に埃１２が＋または一に帯電して付着している時、接触または非接触でパルス状電圧を印加すると、矢印Ａで示すように＋電圧印加で＋帯電のホコリが飛び、一電圧印加で一帯電のホコリが飛ばすことにより除塵する。
（実施例８）
図８は除塵対象物がプラスチック等の絶縁体の場合を説明するための図である。図８において、図８ａは埃と反対側から電圧を印加された電極を近付けて挨を飛ばす場合である。電極３０が＋の時、＋に帯電した挨１２が飛び、電極３０が−の時、一に帯電した挨１２が飛ぶ。図８ｂは埃と同じ側から電圧を印加された電極を近付けて挨を飛ばす場合を説明するための図である。電極３０が＋の時、−に帯電した挨１２が飛び、電極３０が＋の時、−に帯電した埃１２が飛ぶ（挨を吸引する場合）である。
（実施例９）
図９は除電対象物がプラスチックやガラスレンズの場合を説明するための図である。図９ａは挨の反対側から電圧のかかった電極を近づけ、埃を飛ばす場合であり、図９ｂは埃の付着した側から電極を近づけ挨を吸引する。いずれの場合でも、矢印Ａで示すようにレンズ９０から埃１２は飛ばされる。
(実施例１０)
図１０はパチンコの玉に付着した挨の除塵機をさらに詳細を説明するための図である。
図１０において、パチンコの玉６０は矢印Ｂで示すように入り口から入り電極メッシュ３０上で電圧を印加され埃１２を飛ばす。その後、パチンコの玉６０は矢印Ｃで示すように排出される。電極メッシュ３０上のパチンコの玉６０は電圧を掛けられるのでアイソレーター１０８で前後の玉と隔離絶縁されている。電極メッシュ３０上の玉６０は電気的に除塵される時、同時に下からエアーブロワー１００でエアーブローされ、電気的に取れやすくなった挨１２はエアーで吹き飛ばされる。なお、符号１１０は玉押えメッシュを示し、符号１１２は埃を飛びやすくする対向電極を示し、符号３４は接地電極を示し、電源は図示を省略している。なお、この実施例では、パチンコの玉の除塵を説明しているが、ゲーム機のコインの除塵についても同様に適用できる。
【００２９】
このとき、取れた挨１２が外部に飛散しないように内部の気圧分布を制御するが吸気口のフィルター１０４つきファンの吸気量をＶｉｎとし排気口のフィルター１０４つきファン１０６の排気量をＶｏｕｔ、エアーブロー量をＶａｉｒ、玉の入り口、出口から漏れ出る空気量をＶｌｅａｋとすると、
Ｖｌｅａｋ＝Ｖｉｎ＋Ｖａｉｒ−Ｖｏｕｔ
Ｖｌｅａｋ≧０
の関係が成り立つようにすれば取れた挨１２が外部に出て環境を汚すことも無くなり、また外部の挨が入り込んで玉６０に付着することもなくなる。
（実施例１１）
前述の実施例１〜１０は、除塵のために、基本的には電圧の印加だけを用いるものであるが、実施例１１以降の実施例は、電圧の印加と他の機能を組み合わせて除塵効果を高めたものである。最初に、実施例１１を説明する前に、埃の舞い戻り現象を説明する。図１１は、埃の舞い戻り現象を説明するための図である。図１１に示すように、電極（埃反発電極）３０に図示のパルス電圧を印加すると、埃１２と同極性（＋）の位相Ｉのとき、除塵対象物１０から埃１２は斥力で飛ばされるが、次の逆位相ＩＩのとき、埃１２は引力で舞い戻り再付着する。そして、電極に印加するパルス電圧の周波数が高いほど多くの除塵対象物を処理できるが、周波数が高いほど埃が十分に飛び散らないうちに再び吸引され再付着しやすい。このため、除塵対象物の移送速度に限界がある以上、電源の周波数にも限界があり、処理能力にも限界がある。
【００３０】
図１２は実施例１１の除塵装置を示す図である。図１２において、除塵装置で除塵している除塵対象物１０の周囲に向けてイオナイザー２４からイオン１４、１６（＋イオン、−イオン）発射する。この場合、イオンは＋−のイオンバランスの良いものを用いる。埃反発電極３０に埃と同極性の電圧が印加されたとき、埃が飛ばされる。空中に舞った埃は、自ら帯電する静電気が逆極性のイオンを吸引し、無帯電になっていく。静電気が消えた埃は逆極性の電圧になっても吸引されることはないので、再付着を免れる。したがって低速で移動する除電対象物の除塵にも対応することができる。
（実施例１２）
図１３は実施例１２の除塵装置を示す図であり、図１３ａは除塵対象物に埃が付着している状態を示し、図１３ｂは除塵対象物から埃が取り除かれた状態を示す。図１３において、除塵対象物１０の埃反発電極３０とは反対側上方に接地した埃吸引対向電極（埃吸引電極）３４が設けられている。図１３ａに示す埃付着状態で、埃反発電極にパルス状電圧を印加すると、埃反発電極３０に印加した電圧により、埃１２は除塵対象物１０から飛散し、＋に帯電した埃も−に帯電した埃も、同様に埃吸引電極３４に吸着する。即ち、埃１２は除塵対象物１０に舞い戻ることなく除塵されるので、埃反発電極３０に印加する電圧の周波数を高くでき、除塵対象物の移動速度を遅くできる。
（実施例１３）
図１４は実施例１３の除塵装置を示す図である。図１４において、実施例１２の接地した埃吸引対向電極３４に代えて、埃吸引対向電極（埃吸引電極）３６、例えば、格子状やメッシュ状，その他の構造の埃吸引対向電極が設けられており、さらに、上方に埃吸引ファン３８が設けられている。そして、埃反発電極３０と埃吸引電極３６には、図示のようなパルス状の電圧が逆極性となるように印加される。
【００３１】
今、埃反発電極３０と埃吸引電極に逆極性の電圧を印加すると、埃反発電極３０によって埃１２が除塵対象物１０から剥がされると同時に埃１２は埃吸引電極３６に吸引される。
このため、埃は反発力と吸引力が同時に加わるので、引き剥がれやすくなる。埃吸引電極３６に吸着された埃１２は次のタイミングで埃吸引電極３６に印加される電圧が逆極性に切り替わるので、埃吸引電極３６から離れる。この離れた埃１２は埃吸引ファン３８によって回収される。
（実施例１４）
図１５は、電極（埃反発電極、埃吸引電極）の具体的な例を示す斜視図である。前述の各実施例では、電極（埃反発電極、埃吸引電極）を模式的に表示しているが、これらの形状は任意の適切な形状でよく、図１５に示すような形状のものを用いることができる。図１５に示すように、
ａ）先端が尖った針状
ｂ）針状電極が１次元配列状
ｃ）針状電極が２次元配列状
ｄ）棒状電極の片側端を用いた点状
ｅ）線状（棒状）
ｆ）メッシュ状
ｇ）板状
ｈ）円状
がある。
（実施例１５）
図１６は実施例１５の埃吸引機を備えた３例の除塵装置を示す図であり、図１６ａおよび図１６ｂは埃吸引真空装置と埃吸引電極が除塵対象物に対して同じ側にある例を示し、図１６ｃは埃吸引真空装置と埃反発電極が除塵対象物に対して反対側にある例を示す。図１６において、いずれの例でも除塵対象物は絶縁体４０でも導体１０でも良い。埃吸引真空装置４６が除塵対象物１０／４０の上方に配置されている。図１６ａに示す例では、電源４２から給電される埃吸引電極３６が埃吸引真空装置４６の内部に配置されており、図１６ｂに示す例では、電源４２から給電される埃吸引電極３６が埃吸引真空装置４６の先端円周部に配置されている。埃吸引電極３６には点状、円状など各種形状がある。埃吸引電極３６の電気引力で埃１２を吸引し、浮いた埃または浮き易くなった埃を真空吸引装置４６で吸引し回収する。
【００３２】
図１６ｃの例で示すように、除塵対象物１０／４０の反対側から電源４２から給電される埃反発電極３０の電気斥力で埃を反発し、浮いた埃または浮き易くなった埃を真空吸引装置４６で吸引し回収する。この時、真空吸引装置４６の側に埃吸引電極３６を設け、吸引するとなお良いが、埃吸引電極３６を設けなくてもよい。埃吸引対向電極３６は接地するか、または埃反発電極の電圧と逆極性にする。逆極性にすればより強力に吸引する。
（実施例１６）
図１７は実施例１６のエアブロワーを備えた除塵装置を示す図であり、図１７ａは埃吸引電極とエアブロワーのエアノズルが除電対象物に対して同じ側にある場合を示し、図１７ｂは埃反発電極とエアーブロワ−のエアノズルが除電対象物に対して反対側にある場合を示す。図１７に示すようにエアーブロワ−４８が埃吸引電極に隣接して除塵対象物に向かって配置されている。除塵対象物は絶縁体１０でも導体４０でも良い。
【００３３】
図１７ａに示すように、埃吸引電極３６で埃を吸引し、浮いた埃１２または浮き易くなった埃１２をエアブロワーのエアブローで吹き飛ばす。また、図１７ｂに示すように、埃反発電極３０で埃１２を反発し、浮いた埃１２または浮き易くなった埃１２をエアブローで吹飛ばす。この時、エアブロー側に埃吸引対向電極３６を設けるとなお良いが埃吸引対向電極３６を設けなくともよい。埃吸引対向電極３６は接地するか、または埃反発電極３０の電圧と逆極性にする。逆極性にすればより強力に吸引する。
（実施例１７）
図１８は実施例１７の除塵装置を示す図である。図１８において、除塵対象物１０／４０に対して、上流側には、例えばメッシュ状の埃反発電極３０、フィルタ１２２付きの埃吹き飛ばしファン１２０およびエアブローが供給されて埃を吹き飛ばすためのエアブロー管１３０が設けられており、下流側には、埃吸引対向電極３６、例えばメッシュ状の埃吸引電極３６、フィルタ１２６付きの埃吸引ファン１２４が設けられている。図１８に示すように、埃吸引対向電極３６の電圧は接地するか、または埃反発電極３０の電圧Ｖ０と逆極性の電圧Ｖ１にする。逆極性にするとより強力に除塵できる。
（実施例１８）
図１９は除塵対象物が自動車車体の実施例を示す図である。図１９ａは図１６ｃに示す実施例に対応するものを示し、図１９ｂは図１７ｂに示す実施例に対応するものを示す。図１９ａにおいて、車体５０に埃反発電極３０を直接接続し、または、埃付着面と反対側の車体５０の部分に、非接触で近付けて、埃１２を反発する。さらに埃吸引対向電極３６を埃吸引真空装置４６の真空吸引口に設け、埃１２を吸引する。浮いた埃または浮き易くなった埃を真空吸引で回収する。埃吸引対向電極３６は接地するか埃反発電極３０と逆極性にする。逆極性にするとより強力に除塵できる。
【００３４】
図１９ｂにおいて、車体５０に埃反発電極３０を直接接続し、または、埃付着面と反対側の車体５０の部分に、非接触で近付けて、埃１２を反発する。さらに埃吸引対向電極３６の近傍にエアブロワーのエアノズルを設け、埃１２を吹飛ばす。浮いた埃または浮き易くなった埃をエアブローで吹飛ばす。埃吸引対向電極３６は接地するか埃反発電極３０と逆極性にする。逆極性にするとより強力に除塵できる。
【図面の簡単な説明】
【００３５】
【図１】図１は除塵対象物が導体の場合の除塵の仕組みを説明するための図であり、図１ａは除塵対象物に埃が付着した状態を示し、図１ｂは非接触方式の除塵の仕組みを説明するための図であり、図１ｃは接触方式の除塵の仕組みを説明するための図である。
【図２】図２は除塵対象物が絶縁体の場合の除塵の仕組みを説明するための図であり、図２ａは除塵対象物に埃が付着した状態を示し、図２ｂは埃の付着側から除塵を行なう仕組みを説明するための図であり、図２ｃは埃の付着側とは反対側から除塵を行なう仕組みを説明するための図である。
【図３】図３は除塵を行なうための印加する電圧の種類を説明するための図であり、図３ａは除塵対象物に埃が付着した状態を示し、図３ｂは印加する電圧がパルスであることを示し、図３ｃは印加する電圧が交流であることを示し、図３ｄは印加する電圧がＤＣ（＋）であることを示し、図３ｅは印加する電圧がＤＣ（−）であることを示す。
【図４】図４は除塵対象物が自動車の車体である場合を説明するための図である。
【図５】図５は除塵対象物がパチンコの玉である場合を説明するための図である。
【図６】図６は除塵対象物がプリント基板の場合を説明するための図である。
【図７】図７は除塵対象物が金属筐体の場合を説明するための図である。
【図８】図８は除塵対象物がプラスチック等の絶縁体の場合を説明するための図である。
【図９】図９は除電対象物がプラスチックまたはガラスレンズの場合を説明するための図である。
【図１０】図１０はパチンコの玉に付着した挨の除塵機をさらに詳細を説明するための図である。
【図１１】図１１は、埃の舞い戻り現象を説明するための図である。
【図１２】図１２は実施例１１の除塵装置を示す図である。
【図１３】図１３は実施例１２の除塵装置を示す図であり、図１２ａは除塵対象物に埃が付着している状態を示し、図１２ｂは除塵対象物から埃が取り除かれた状態を示す。
【図１４】図１４は実施例１３の除塵装置を示す図である。
【図１５】図１５は、電極（埃反発電極、埃吸引電極）の具体的な例を示す斜視図である。
【図１６】図１６は実施例１５の埃吸引機を備えた３例の除塵装置を示す図であり、図１６ａおよび図１６ｂは埃吸引真空装置と埃吸引電極が除塵対象物に対して同じ側にある例を示し、図１６ｃは埃吸引真空装置と埃反発電極が除塵対象物に対して反対側にある例を示す。
【図１７】図１７は実施例１６のエアブロワーを備えた除塵装置を示す図であり、図１７ａは埃吸引電極とエアブロワーのエアノズルが除電対象物に対して同じ側にある場合を示し、図１７ｂは埃反発電極とエアーブロワ−のエアノズルが除電対象物に対して反対側にある場合を示す。
【図１８】図１８は実施例１７の除塵装置を示す図である。
【図１９】図１９は除塵対象物が自動車車体の実施例を示す図である。図１９ａは図１６ｃに示す実施例に対応するものを示し、図１９ｂは図１７ｂに示す実施例に対応するものを示す。
【符号の説明】
【００３６】
１０    導体の除塵対象物
４０    絶縁体の除塵対象物
１２    埃
１４    ＋電荷
１６    −電荷
１８    電気力線
２０    ＋イオン
２２    −イオン
２４    イオナイザー
３０    電極（埃反発電極）
３２    電源
３４    埃吸引対向電極（接地電極）
３６    埃吸引対向電極
３８    埃吸引ファン
４２    電源
４４    対向電源
４６    埃吸引真空装置
４８    エアーブロワー
５０    自動車の車体
６０    パチンコの玉
７０    プリント基板
８０    金属筐体
９０    プラスチックまたはガラスレンズ
１００  エアーブロワー
１０２、１２０  吸気用ファン
１０６、１２４  排気用ファン
１１０  玉押さえメッシュ
１１２  対向電極
１３０  エアブロー管
【図１】
2007296488.tif 000003
【図２】
2007296488.tif 000004
【図３】
2007296488.tif 000005
【図４】
2007296488.tif 000006
【図５】
2007296488.tif 000007
【図６】
2007296488.tif 000008
【図７】
2007296488.tif 000009
【図８】
2007296488.tif 000010
【図９】
2007296488.tif 000011
【図１０】
2007296488.tif 000012
【図１１】
2007296488.tif 000013
【図１２】
2007296488.tif 000014
【図１３】
2007296488.tif 000015
【図１４】
2007296488.tif 000016
【図１５】
2007296488.tif 000017
【図１６】
2007296488.tif 000018
【図１７】
2007296488.tif 000019
【図１８】
2007296488.tif 000020
【図１９】
2007296488.tif 000021